(57)【要約】【課題】携帯電話の小型、軽量、可搬性を損なうことなく、従来技術にさらに改善を加えた簡易な遠隔撮影機能を備えたカメラ付携帯電話を提供する。【解決手段】撮影機能を持つ携帯電話１０、２０において、複数台の携帯電話１０、２０に、撮影機能について相互通信可能に関連付けする機能を付与し、その関連付けられたカメラ付携帯電話１０、２０の撮影機能を遠隔操作する手段を備えた。遠隔操作する機能は、例えば、撮影機能、タイマ機能、転送機能、電話帳データを用いて他の携帯電話を関連付けする機能などである。【選択図】        図１
2005278018.tif 000002
【特許請求の範囲】
【請求項１】
撮影機能を持つ携帯電話において、複数台の携帯電話を撮影機能について相互通信可能に関連付けする機能を付与し、その関連付けられたカメラ付携帯電話の撮影機能を遠隔操作する手段を備えたことを特徴とするカメラ付携帯電話。
【請求項２】
一定時間でシャッターを切る撮影機能を持つカメラ付携帯電話の該一定時間を、遠隔操作側の携帯電話に表示する機能を備えたことを特徴とする請求項１記載のカメラ付携帯電話。
【請求項３】
一定時間間隔で撮影を繰り返す連写機能をもつカメラ付携帯電話の連写の撮影回数を遠隔操作側の携帯電話によって設定する機能を備えたことを特徴とする請求項１記載のカメラ付携帯電話。
【請求項４】
カメラで撮影した写真を、関連付けされた他の携帯電話に自動的に転送する機能を備えたことを特徴とする請求項１記載のカメラ付携帯電話。
【請求項５】
前記関連付けられた操作用携帯電話の表示部と表示用携帯電話の表示部に撮影用携帯電話のカメラが把えている画像を転送し表示する機能を備えたことを特徴とする請求項１記載のカメラ付携帯電話。
【請求項６】
各携帯電話のメモリーに登録されている電話帳データを利用して相手側カメラ付電話に前記関連付け設定ができる機能を備えたことを特徴とする請求項１記載のカメラ付携帯電話。
【発明の詳細な説明】
【技術分野】
【０００１】
本発明は、カメラ付携帯電話に関する。さらに詳しくは、撮影機能を持つ複数台の携帯電話の撮影機能を遠隔操作することができるよういにしたカメラ付携帯電話に係るものである。
【背景技術】
【０００２】
近年、通信機能のほかにデータ伝送機能、カメラ機能付きの携帯電話が普及している。カメラ機能付きの携帯電話は撮影を行い、画像を小型記録媒体に記録するようになっている。このような携帯電話をさらに発展させる技術もあり、カメラ付携帯電話を遠隔操作通信手段を備えた携帯電話とを組み合わせて用いる技術がある。
【０００３】
例えば、携帯電話側遠隔通信手段を有するカメラ機能付き携帯電話と、携帯電話側遠隔通信手段に対して操作用信号を送受する遠隔操作側遠隔通信手段を有する遠隔操作装置とを備たカメラ機能付き携帯電話システムがある（例えば、特許文献１参照。）。
【０００４】
この技術は、カメラ機能付携帯電話において、撮影機能を持つカメラ本体部から着脱可能な、遠隔操作を可能とする操作部材とで構成されるカメラ機能付携帯電話システムである。この場合、撮影角度調整手段、ズーム機能、フォーカス機能などを付与したものもある。
【０００５】
この技術は動画撮影専用装置であるから大型の遠隔操作装置を備えていてもよいが、携帯電話を利用する技術では、使用頻度が多くない遠隔撮影という機能に対して大きな装置を使うことは不経済であり実用的でない。
【０００６】
また、予定された撮影視野領域のみをその光学的な指向角度内に収め得る構造の撮影視野識別手段を設置したカメラがある（例えば、特許文献２参照。）。
【０００７】
この技術は、セルフタイマー・遠隔操作撮影時に被写体である人物が撮影範囲内に入っていることを確認するためにカメラ本体から撮影範囲内でしか視認できない光線を発して認識させるカメラである。
【０００８】
この技術では、晴天時の場合や、視力が弱い人は、カメラ本体の光を十分に認識できないという問題がある。また、視認することができるだけの光量を出すためには、消費電力が大きくなり、不利となる。
【０００９】
さらに、遠隔操作信号に応じてカメラの起動をかける複数の遠隔操作送信信号と、遠隔操作信号を受信する遠隔操作受信手段と、遠隔操作信号の入力から送信命令までカウントの時間を測るタイマーと、命令をキャンセル処理する遠隔操作受信制御機能をもったカメラがある（例えば、特許文献３参照。）。
【００１０】
この技術は遠隔操作でのセルフタイマー撮影の際に、セルフタイマー作動後、中止命令を出すことができる。この技術では、遠隔操作による操作は撮影の開始と中止に限定されている。
【特許文献１】特開２００２−５０９９９号公報（第２〜３頁、図１）
【特許文献２】特開平５−５３１８６号公報（第２〜１０頁、図１）
【特許文献３】特開２００４−１２４９１号公報（第２〜１０頁、図１）
【発明の開示】
【発明が解決しようとする課題】
【００１１】
本発明は、携帯電話の小型、軽量ですぐれた可搬性を有する特性を損なうことなく、上記従来技術にさらに改善を加えた簡易な遠隔撮影機能を備えたカメラ付携帯電話を提供することを目的とするものである。
【課題を解決するための手段】
【００１２】
本発明は、上記問題点を解決するためになされたもので、次の技術手段を講じたことを特徴とする。すなわち、本発明は、撮影機能を持つ携帯電話において、複数台の携帯電話を撮影機能について相互通信可能に関連付けする機能を付与し、その関連付けられたカメラ付携帯電話の撮影機能を遠隔操作する手段を備えたことを特徴とするカメラ付携帯電話である。
【００１３】
本発明において関連付けするとは、複数台のカメラ付携帯電話を撮影機能について相互遠隔通信機能を付加して、１グループの携帯電話群を形成することである。ここでは、遠隔撮影機能を主体とし、これに関する機能を付与する。
【００１４】
本発明によれば、離れたところに設置されたカメラ付携帯電話を自由に操作して撮影を行うことができる。本発明は、携帯電話をトランシーバーと同様に中継局を通さない遠隔通信装置や遠隔制御装置として利用することもできる。そして、携帯電話が従来持っている相互機能、例えば、通信機能、撮影機能を複数のカメラに対して、相互に遠隔操作で操作できるようにグループ化するものである。
【００１５】
カメラ付携帯電話で複数台のカメラを関連付けして遠隔操作側の携帯電話を操作することによって、撮影側の携帯電話で撮影をすることができる。
【００１６】
本発明の関連付けしたカメラ付携帯電話は、一定時間でシャッターを切る撮影機能を持つカメラ付携帯電話の該一定時間を、遠隔操作側の携帯電話に表示する機能を備えている。この機能により、カメラから離れた位置でセルフタイマー機能で撮影するときに、被撮影者に撮影のタイミングをわかりやすく伝ることができる。本発明によれば、このタイミングを操作側の携帯電話によって設定すること及び実行することができる。
【００１７】
複数のカメラ付携帯電話を関連付けして、遠隔操作側の携帯電話で、セルフタイマー設定すると、撮影側のカメラ付携帯電話の撮影タイミングを遠隔操作側の携帯電話が教えてくれる。このタイミングの表示は、携帯電話が備えている種々の表示装置及び手段によって実現することができる。
【００１８】
また、本発明の関連付けされたカメラ付携帯電話では、一定時間間隔で撮影を繰り返す連写機能をもつカメラ付携帯電話の連写の撮影回数つまり、撮影枚数を遠隔操作側の携帯電話で設定可能である。
【００１９】
すなわち、連写撮影の枚数を、撮影側本体を操作しなくても、撮影位置で自由に変えることができる。複数のカメラ付携帯電話を関連付けして、遠隔操作側の携帯電話で連写機能を設定すると、連写撮影枚数を遠隔操作側の電話で数字入力できる。
【００２０】
また、カメラで撮影した写真を、関連付けされた他の携帯電話に自動的に転送する機能を備えると、数名で撮影した画像を後で送る手間を省くことができ、リアルタイムで撮った画像を全員で確認することができるので、好適である。
【００２１】
また、上述のように、複数台のカメラ付携帯電話を関連付けする機能をもつ携帯電話の関連付けされた操作用携帯電話の表示部と表示用形態電話の表示部に撮影用携帯電話のカメラが把えている映像を転送し表示する機能を備えると、撮影範囲内に被写体がきちんと入っているか否かを複数の被写体本人がその場で容易に確認することができる。
【００２２】
さらに、前記関連付けをする際に、各携帯電話のメモリーに登録されている電話帳データを利用して関連づけ設定ができる機能を備えることができ、この場合に、関連付けする携帯電話を電話帳メモリの中から選択して設定することが容易にできる。
【発明の効果】
【００２３】
本発明によれば、携帯電話の小型、軽量、及びすぐれた可搬性などの特性を損なうことなく、遠隔撮影機能を備えたカメラ付携帯電話を実現することができ、寄与するところが大である。
【発明を実施するための最良の形態】
【００２４】
以下図面を参照して本発明の実施の形態を説明する。
【００２５】
図１は本発明の実施例のカメラ付携帯電話を示す図である。
【００２６】
本発明のカメラ付携帯電話１０及び２０は、撮影機能について相互通信可能に関連付けされている。すなわち、第１のカメラ付携帯電話１０は、第２のカメラ付携帯電話２０の撮影機能をコントロールする遠方操作機能を付与されており、第１のカメラ付携帯電話からの信号１１によって、第２のカメラ付形態電話２０のカメラを操作することができる。
【００２７】
このような関連付けを行うプロセス及びその後の作動機能について図２〜図４のフローチャートを用いて説明する。
【００２８】
まず、カメラモード起動１００を行う。次いで通常カメラモードが関連付けカメラモードか何れかのモード選択１０１を行う。関連付けカメラモードを選択したときは関連付けメニューのフローチャートへ移行１０２する。
【００２９】
図４は関連付けメニューのフローチャートである。関連付けメニュー開始１３０し、対象とするカメラ付携帯電話を、カメラとして使用する撮影用と操作と指示を行う操作用と表示のみを行う表示用の何れかに定める選択１３１を行う。次に、設定する相手を直接入力により設定するか電話帳から選択して入力するかの選択１３２を行う。先方確認１３３したら、関連付けするか否かの打合せ１３４を行い、拒否されれば関連付けを行わずプロセスを終了する。若し承認されれば関連付けを完了１３６する。
【００３０】
次いで、続けて別の関連付けを行うか否か判断１３７し、ＮＯであれば終了１３８とする。ＹＥＳであれば関連付けメニューに戻り、以上の関連付け付与のプロセスを繰返す。
【００３１】
関連付けが完了すると、図２に戻る。
【００３２】
撮影開始１０３では、撮影用のカメラ付携帯電話のカメラ起動１０４を行い、レンズで把えた画像をＬＣＤに表示１０５する。次いで、表示している画像を関連付けられたカメラ付携帯電話に動画転送１０６する。
【００３３】
遠隔操作用のカメラ付携帯電話、及び表示用のカメラ付携帯電話は送られてきた画像を表示１０７，１０９する。遠隔操作用のカメラ付携帯電話では、この画像表示を確認しシャッターボタンの押圧１０８を行う。
【００３４】
次いで図３に示すフローに移行する。
【００３５】
シャッターボタンの押圧１０８により、撮影用カメラは撮影１１０を行う。次いで撮影した画像の表示１１１を行う。この表示している画像を関連付けられた携帯電話に転送１１２する。操作用及び表示用のカメラ付携帯電話は送られてきた画像の表示１１６，１２０を行う。
【００３６】
撮影用携帯電話は画像の保存１１３を行い、次いで保存されたデータを関連付けられた携帯電話に転送１１４し、作動終了１１５となる。操作用及び表示用携帯電話はそれぞれデータの受取１１７，１２１を行った後、終了１１８，１２２となる。
【００３７】
このような機能は、例えば、第２のカメラ付携帯電話のカメラを遠隔操作によって作動状態にし、カメラのシャッターを切る動作を遠隔制御可能にすれば達成できる。その他の機能、例えばセルフタイマー機能、連写機能、撮影した写真を転送する機能等を付与することもできる。
【００３８】
図５は被写体３０を遠隔撮影する状況を例示したもので、第２のカメラ付携帯電話２０をテーブル上等に設置し、手許に持った第１のカメラ付携帯電話１０を操作すると、第２のカメラ付携帯電話のカメラのシャッターが作動する状態を示している。
【００３９】
図６〜９は、セルフタイマー機能を付与した場合の、第１のカメラ付携帯電話１０（遠隔操作側の携帯電話）のシャッタータイミングを表示する例を示したものである。従来のセルフタイマーは通常撮影カメラ側にある。しかし、遠方で見にくい。また、光量を大にすると消費電力が大きくなる。そこで、本発明では遠隔操作側の携帯電話１０につけるようにした。
【００４０】
図６は、セルフタイマーの一定時間の表示を、携帯電話の数字キーのバックライトが順番に点滅し、カウントダウンするようにした例、図７は、液晶表示で、例えば、秒針が回動してカウントダウンするようにした例、図８は音声信号でカウントダウンするようにした例、図９は振動によってカウントダウンする例を示している。
【００４１】
図１０は連写を行うときの手順を示すフローチャートである。
【００４２】
カメラ付携帯電話を遠隔操作モードに設定１４０した後、連写撮影と通常撮影モードの選択１４１を行い、通常撮影であれば、通常撮影１４２に移行する。連写を行う場合は連写モード１４３に移行し、連写間隔（長又は短）設定１４４を行う。次に連写枚数の設定１４５を行う。この設定はテンキーで入力することができる。次いで撮影ボタンを押圧１４６すると撮影開始１４７となる。
【００４３】
図１１〜１４は撮影用携帯電話２０，操作用携帯電話１０，表示用携帯電話４０を用いた例を示すものである。撮影用携帯電話１０は図１２に示すように被写体３０の画像を表示すると共に、これを操作用携帯電話２０及び表示用携帯電話４０に動画で転送する。
【００４４】
図１３は操作用携帯電話２０を示し、被写体の画像が表示されている。一方、図１４に示すように、表示用の携帯電話４０にも被写体の画像が転送され表示されている。これらを見て、撮影準備完了を確認し、遠隔操作用携帯電話２０のシャッターを押すと撮影が行われ、その画像は、撮影用携帯電話内に記憶される。また、この画像は、遠隔操作用及び表示用携帯電話に転送される。
【図面の簡単な説明】
【００４５】
【図１】本発明の実施例のカメラ付携帯電話を示す説明図である。
【図２】関連付けを行うプロセス及びその後の作動機能のフローチャートである。
【図３】関連付けを行うプロセス及びその後の作動機能のフローチャートである。
【図４】関連付けメニューのフローチャートである。
【図５】被写体３０を遠隔撮影する状況を例示した説明図である。
【図６】シャッタータイミングを表示する例の説明図である。
【図７】シャッタータイミングを表示する例の説明図である。
【図８】シャッタータイミングを表示する例の説明図である。
【図９】シャッタータイミングを表示する例の説明図である。
【図１０】連写を行うときのフローチャートである。
【図１１】実施例の説明図である。
【図１２】を用いた例を示すものである。
【図１３】実施例の説明図である。
【図１４】実施例の説明図である。
【符号の説明】
【００４６】
１０，２０，４０    カメラ付携帯電話
１１    信号
１００    カメラモード起動
１０１    モード選択
１０２    移行
１０３    撮影開始
１０４    カメラ起動
１０５，１０７，１０９    表示
１０６    転送
１０８    シャッターボタン押圧
１１０    撮影
１１１，１１６，１２０    画像表示
１１２，１１４    転送
１１３    保存
１１５，１１８，１２２    作動終了
１１７，１１８  データ受取
１３０    メニュー開始
１３１，１３２    選択
１３３    先方確認
１３４    打合せ
１３６    完了
１３７    判断
１３８    終了
１４０    設定
１４１    選択
１４２    通常撮影
１４３    連写モード
１４４    連写間隔設定
１４５    連写枚数設定
１４６    撮影ボタン押圧
１４７    撮影開始
【図１】
2005278018.tif 000003
【図２】
2005278018.tif 000004
【図３】
2005278018.tif 000005
【図４】
2005278018.tif 000006
【図５】
2005278018.tif 000007
【図６】
2005278018.tif 000008
【図７】
2005278018.tif 000009
【図８】
2005278018.tif 000010
【図９】
2005278018.tif 000011
【図１０】
2005278018.tif 000012
【図１１】
2005278018.tif 000013
【図１２】
2005278018.tif 000014
【図１３】
2005278018.tif 000015
【図１４】
2005278018.tif 000016